(57)【要約】【課題】本発明は、紙管のない無芯のストレッチフィルムに挿入し、紙管の替わりに使用できる芯体に関する【解決手段】壁面の一部が全長に亘って切り欠かれた円筒形状の本体とこの本体端部に挿入される挿入部材からなり、この挿入部材は前記円筒形状の本体内面より稍小径〜稍大径の円錐台形状となされ、無芯のフィルムの巻体に挿入された円筒形状の本体に挿入部材が挿入されることにより、円筒形状の本体が拡開され、円筒形状の本体の外壁がフィルムの巻体内壁に当接され、フィルム巻体が補強される。【選択図】        図１
2005187195.tif 000002
【特許請求の範囲】
【請求項１】
壁面の一部が全長に亘って切り欠かれた円筒形状の本体とこの本体端部に挿入される挿入部材からなり、この挿入部材は前記円筒形状の本体内面より稍小径〜稍大径の円錐台形状となされ、無芯のフィルムの巻体に挿入された円筒形状の本体に挿入部材が挿入されていることを特徴とするストレッチフィルムの芯体。
【請求項２】
合成樹脂からなる薄板が円筒形に巻回され、フィルムの巻体内に挿入されたのち、薄板の弾発力により、薄板からなる円筒形の外寸が拡開されて、無芯のフィルムの巻体内面に圧接されるようになされたことを特徴とするストレッチフィルムの芯体。
【請求項３】
円柱の上端から中央部に亘って溝が貫通され、上端にテーパー雌ネジが設けられた基部と前記テーパー雌ネジに対応するテーパー雄ネジが設けられたねじ込み部からなり、無芯のフィルムの巻体に基部が挿入され、この基部のテーパー雌ネジにねじ込み部のテーパー雄ネジが螺入され基部が拡開されてフィルムの巻体内面に圧接されるようになされたことを特徴とする本発明請求項３記載のストレッチフィルムの芯体。
【発明の詳細な説明】
【技術分野】
【０００１】
本発明は、紙管のない無芯のストレッチフィルムに挿入し、紙管の替わりに使用できる芯体に関する。
【背景技術】
【０００２】
【特許文献１】特開２００３−２５４１号公報  従来、パレット上に載置された複数の商品などの荷崩れを防ぐためにストレッチフィルムが用いられてきた。このストレッチフィルムは紙管などの巻芯にストレッチフィルムを巻き上げた巻体が用いられていた。又、巻芯として用いられる紙管がリサイクルが困難であり、産業廃棄物となるという問題があり、この巻芯を無くしたストレッチフィルムの巻体が提案されている。例えば特開２００３−２５４１号公報には、巻芯上にストレッチフィルムを巻き取ったストレッチフィルムのロール体において、上記巻き取ったストレッチフィルムの表面に深さ１０ｍｍ以上の切れ込みを軸方向全幅に亘って入れて生じる切れ込み幅の広さにより、ストレッチフィルムの残留応力を検査した時に、その広さが５ｍｍ以内になるように、巻取り時の張力を規制しているストレッチフィルムのロール体が提案されている。
【発明の開示】
【発明が解決しようとする課題】
【０００３】
しかしながら上記の如き、特開２００３−２５４１号公報に提案されているストレッチフィルムのロール体においては、フィルムの巻体を持ってフィルムを巻き付けるときにフィルムの残量が少なくなるとフィルムの巻体が折れたり、潰れたりしてフィルムを最後まで使用できないという問題があった。又、専用ホルダーを使用するとき、フィルムのテンション調整をしようとすると紙管がないので、フィルムを押さえ付けることになり、フィルムに外傷を及ぼし、フィルム切れなどの問題が発生することがあった。
【０００４】
そこで本発明者は従来の欠点に鑑み鋭意研究の結果、フィルムのコアに紙管などの巻き芯に代わるリユース可能な芯体を挿入することにより、フィルムの巻き付け作業が紙管付のフィルムと同様に行えるストレッチフィルムの芯体を提供する。
【課題を解決するための手段】
【０００５】
本発明請求項１記載のストレッチフィルムの芯体は、壁面の一部が全長に亘って切り欠かれた円筒形状の本体とこの本体端部に挿入される挿入部材からなり、この挿入部材は前記円筒形状の本体内面より稍小径〜稍大径の円錐台形状となされ、無芯のフィルムの巻体に挿入された円筒形状の本体に挿入部材が挿入されることにより、円筒形状の本体が拡開され、円筒形状の本体の外壁がフィルムの巻体内壁に当接され、フィルム巻体が補強される。
【０００６】
本発明請求項２記載のストレッチフィルムの芯体は、合成樹脂からなる薄板が円筒形に巻回され、フィルムの巻体内に挿入されたのち、薄板の弾発力により、薄板からなる円筒形の外寸が拡開されて、無芯のフィルムの巻体内面に圧接されるようになされたことを特徴とするもので、フィルムの巻体が容易に補強される。又、芯体の不使用時合成樹脂製の薄板が平坦な板状となるので嵩張らず保管しやすい。
【０００７】
本発明請求項３記載のストレッチフィルムの芯体は、円柱の上端から中央部に亘って溝が貫通され、上端にテーパー雌ネジが設けられた基部と前記テーパー雌ネジに対応するテーパー雄ネジが設けられたねじ込み部からなり、無芯のフィルムの巻体に基部が挿入され、この基部のテーパー雌ネジにねじ込み部のテーパー雄ネジが螺入され基部が拡開されてフィルムの巻体内面に圧接されるようになされたことを特徴とするもので、フィルムの巻体が補強される。
【発明の効果】
【０００８】
上述の如く、本発明ストレッチフィルムの芯体は、無芯のフィルムの巻体に挿入するだけで、フィルムの巻体を容易に補強でき、フィルムの巻体が折れたり、潰れたりすることが無くなる。又、芯体の不使用時には、芯体を板状に展開することにより嵩張らず収納が容易である。
【発明を実施するための最良の形態】
【０００９】
以下、図面を参照しながら本発明に付いて説明する。
図１は本発明ストレッチフィルムの芯体の実施形態の一例を示す断面図であり、図２は図１の要部の拡大図である。図に於いて、ａは無芯のフィルムの巻体であり、この巻体の内部に壁面の一部が全長に亘って切り欠かれた円筒形状の本体１が挿入されている。この本体の上端に先端が本体の内径より稍小径で、上端が本体の内径より稍大径となされた円錐台形状の挿入部材２が挿入されている。基台３の中央には上端に雄ネジが螺設された連結杆３１が設けられ、挿入部材２に設けられた雌ネジと螺合するようになされている。挿入部材２は連結杆３１の上端に設けられた雄ネジに螺入され、本体を拡径するようになされている。
【００１０】
図３は本発明ストレッチフィルムの芯体の実施形態の第２の例を示す斜視図であり、図４はこの芯体を無芯のフィルムの巻体に挿入した状態を示す斜視図である。図に於いて、ａは無芯のフィルムの巻体であり、その内部に合成樹脂からなる薄板が円筒形に巻回されたストレッチフィルムの芯体が挿入されている。この芯体はストレッチフィルムの巻体内に挿入されると合成樹脂製の薄板の弾発力により、フィルムの巻体の内面に圧接されるようになされている。
【００１１】
図５は本発明ストレッチフィルムの芯体の実施形態の第３の例を示す斜視図である。図に於いて、円柱状の基部４の上端から中央部に亘って相対する表面に亘って貫通して溝４１が設けられている。又、基部４の上端には、テーパー雌ネジ４２が設けられている。ねじ込み部５の下面にはこのテーパー雌ネジ４２に対応するテーパー雄ネジ５１が設けられており、基部４がストレッチフィルムの巻体内に挿入された後基部４上端の前記したテーパー雌ネジ４２にねじ込み部５のテーパー雄ネジ５１が挿入され、このテーパー雄ネジ５１の挿入によって基部４の上端が押し拡げられてストレッチフィルムの巻体内面に当接されるようになされている。図６は本発明の使用状態を示す斜視図であり、図に於いて、ねじ込み部５を手で持つことによりフィルムの操作が容易にできる。
【図面の簡単な説明】
【００１２】
【図１】本発明ストレッチフィルムの芯体の実施形態の一例を示す断面図である。
【図２】図１の要部の拡大図である。
【図３】本発明ストレッチフィルムの芯体の実施形態の第２の例を示す斜視図である。
【図４】芯体を無芯のフィルムの巻体に挿入した状態を示す斜視図である。
【図５】本発明ストレッチフィルムの芯体の実施形態の第３の例を示す斜視図である。
【図６】本発明ストレッチフィルムの芯体の使用状態を示す斜視図である。
【符号の説明】
【００１３】
１    円筒形状の本体
２    挿入部材
３    基台
３１  連結杆
４    基部
４１  溝
４２  テーパー雌ネジ
５    ねじ込み部
５１  雄ネジ
ａ    無芯のフィルムの巻体
【図１】
2005187195.tif 000003
【図２】
2005187195.tif 000004
【図３】
2005187195.tif 000005
【図４】
2005187195.tif 000006
【図５】
2005187195.tif 000007
【図６】
2005187195.tif 000008